【事件の表示】
　特願２００３−１５０６２８号「洗濯乾燥機」拒絶査定不服審判事件〔平成１６年１２月１６日出願公開、特開２００４−３５０８２５号〕について、次のとおり審決する。
【結　論】
　本件審判の請求は、成り立たない。
【理　由】
１．手続の経緯
　本件出願は、平成１５年５月２８日の出願であって、原審において平成１８年６月１日付けで拒絶理由通知がなされ、平成１８年８月３日付けで意見書が提出されたが、上記平成１８年６月１日付け拒絶理由通知に記載した理由により平成１８年１０月２６日付けで拒絶査定（発送日：平成１８年１０月３１日）がなされ、平成１８年１１月３０日付けで拒絶査定不服審判の請求がなされるとともに、平成１８年１２月２６日付けで手続補正がなされ、その後、特許法第１６２条による審査がなされ、平成１９年２月２日付けで特許庁長官への報告がなされ、平成２０年１２月９日付けで審尋（発送日：平成２０年１２月１６日）がなされ、平成２１年２月１２日付けで回答書が提出されたものである。
　
　
　
２．本件の請求項１に係る発明
　そこで、本件の請求項１に係る発明（以下「本件発明」という。）は、上記平成１８年１２月２６日付け手続補正により補正された明細書及び図面の記載からみて、その特許請求の範囲の請求項１に記載された事項により特定される以下のとおりのものである。
「【請求項１】　筐体内に弾性支持された水槽と、前記水槽内に回転可能に設けられ衣類を収容する回転槽と、圧縮機と圧縮された冷媒の熱を放熱する放熱器と高圧の冷媒の圧力を減圧するための絞り手段と減圧されて低圧となった冷媒が周囲から熱を奪う吸熱器とを冷媒が循環するように管路で連結したヒートポンプ装置と、前記放熱器で加熱した空気を前記回転槽内へ供給する送風手段と、洗浄、すすぎ、脱水、乾燥などの一連の工程を制御する制御手段とを具備し、前記制御手段は、脱水工程において前記圧縮機のモータへの通電を開始するとともに、前記送風手段の運転を開始し、前記吸熱器で除湿され前記放熱器で加熱された乾いた温風を前記回転槽内へ供給するようにした洗濯乾燥機。」
　
　
　
３．平成１８年６月１日付け拒絶理由通知で引用した刊行物
　刊行物１：特開平１−２１２５９９号公報
　刊行物２：特開平１０−８５４９７号公報
　
　
　
４．引用刊行物に記載された発明
（１）刊行物１に記載された発明
《記載事項》
　刊行物１には次のａ．〜ｅ．の記載がある。
ａ．「（産業上の利用分野）
　本発明は、家庭用洗濯機又は業務用洗濯機として洗濯と乾燥を同一の装置で行なう洗濯・乾燥機に関するものである。」（第１頁左下欄１３〜１６行）
　
ｂ．「（従来の技術）
　従来、家庭用洗濯機としては、洗濯槽と脱水槽が独立している２槽形、洗濯と脱水を同一の槽で行なう１槽形があり、それぞれ第３図、第４図に概略外観図を示す。　　　　　　・・・・・
　一方、本出願人は特願昭６２−１８７６７０号として第２図に示すような単独の回転ドラム内で
洗濯、すすぎ、脱水、乾燥の一連の工程を連続して行なう洗濯・乾燥機
　この洗濯・乾燥機は以下で述べるように昼間は勿論のこと、夜間、就寝中も静粛に洗濯、脱水、乾燥ができることが特徴となっている。
　第２図に基づきその構成について説明する。
　洗濯・乾燥機は側面からみると前面に一部傾斜面を有するケーシング２をもち、同
ケーシング２の
内部には
回転ドラム３が収納されている
回転ドラム３の所定の部位には衣料６をドラム３の回転と共に持ち上げ落下させるためのビータ５
　回転ドラム３の前記シャフト１１はベアリングユニット１２，１２’によって２点で支持され、その自由端にはＶベルトによって駆動されるＶプーリ１３が取付けられており、図示されない
駆動用モータから回転のための動力を受けるようになっている
　また、ケーシング２内の回転ドラム３の背面は、空気入口２４及び空気出口２３を除き隔壁２２によって仕切られ、循環エア９が通るダクト１０、及び１０’が形成されている。前記隔壁２２の前面下部は洗濯槽１００を構成し、同
洗濯槽１００の部分に回転ドラム３の下部が臨んでいる
　
前記各エアダクト１０，１０’にはコンプレッサ１９、凝縮器（コンデンサ）１８、ファン１７、膨張弁２０、蒸発器（エバポレータ）１５等が内蔵されており、いわゆるヒートポンプサイクルが形成されている
　２１はドレン排水配管、８は洗濯排水用配管である。また２５は
夜間プログラム、昼間プログラムの選択ボタンであり
　なお、２６は弾性支持脚部、２７は剛支持用脚部であり、夜間は剛支持脚部２７が、昼間は弾性支持脚部２６が、それぞれ装置全体を支持する構造となっており、これら支持脚部の切替えは、図示しないが、例えばリンク機構を利用し、レバー操作により簡単に切替えが可能となる構成になっている。」（第１頁左下欄１７行〜第２頁左下欄１７行）（なお、下線は当審が付した。以下、同じ。）
　
ｃ．「次に各工程とその作用について説明する。
（１）洗濯、すすぎ工程
〇１　ドア２をあけて衣料６及び適量の洗剤を投入し、ドア２を閉め、
夜間プログラムボタン２５を押すと自動的に以下の工程が実行される
〇２　水供給バルブ（図示せず）から水７が洗濯槽１００に規定量だけ供給される。水の規定量検知には、フロートスイッチ方式、圧力方式（水頭を利用）等が利用される。
〇３　回転ドラムがプログラムされた回転数（夜間では１０〜２０ｒｐｍ）でゆっくりと連続または間欠的に回転し、洗浄を行なう。このうち連続、間欠の選択は、あらかじめ図示されない制御パネル上のプログラムで選定する。この間、衣料６はビータ５によって持ち上げられ落下するが、回転ドラム３のシャフト１１が水平に対しθだけ傾いているため、その分機械力はソフトとなる。
〇４　洗濯終了後は洗濯槽の洗濯排水用配管８から排水される。
〇５　続いて、すすぎ工程が〇２〜〇４と同様の工程で実行される。なおすすぎ回数はあらかじめインプットされている。
（２）脱水工程
　
回転ドラム３がプログラムされた回転数（夜間では１００〜２００ｒｐｍ　）で回転し
脱水する
（３）乾燥工程
〇１　
コンプレッサ１９、ファン１７及び回転ドラム３が運転され循環エア９がダクト１０，１０’及び回転ドラム３の内部を循環する
〇２　衣料６から蒸発した
水蒸気は循環エア９と共に
エバポレータ１５に接触し、冷却されて
除湿される
除湿された循環エア９は、ファン１７によってコンデンサ１８に送られ、ここで加熱されて５０〜６０°Ｃの熱風となって
回転ドラム３内に流入し
〇３　この間、
回転ドラム３は洗濯工程と同様にあらかじめ設定された回転数（夜間で２０〜３０ｒｐｍ）で
回転する
〇４　乾燥時間は標準で４時間、早いもので２．５時間、遅いもので６時間である。乾燥終了は空気出口２３でのエア温度・湿度等を検知する手段等によって容易に知ることができる。
　なお、放熱器１６はエバポレータ１５の吸熱とコンデンサ１８の放熱のアンバランスを補正するためのものであるが、衣料６をソフトに仕上げるために熱風温度を上げる必要がある場合には乾燥途中や末期に一時的に放熱器１６の働きを停止させることもある。また同時に、回転ドラム３の回転数を２〜５割程度増加させ、衣料６を広げる工夫をすることがある。
　以上、主として夜間のしかも当事者が睡眠中に自動的に洗濯から乾燥までを連続して行なう場合について説明した。」（第２頁左下欄１８行〜第３頁左下欄９行）（なお、刊行物１に記載されている「マル数字」は特許庁の起案システムでは表示出来ないので、「〇数字」で代用した。）
　
ｄ．「（発明が解決しようとする課題）
　しかるに、本発明により先に開発された
ヒートポンプサイクルを熱源として利用する前記洗濯・乾燥機では、その乾燥工程において、凝縮器（コンデンサ）１８で加熱された循環空気９は蒸発器で冷却除湿されるため、乾燥初期における循環空気９の昇温時間が長くかかり、
　このように、先に開発された上記洗濯・乾燥機にも、乾燥に要する時間が初期の循環空気温度に依存して変化し、そのため乾燥サイクルが安定しないという解決すべき課題の残されていることが判明した。
　
従って、本発明の目的は
循環空気の予熱時間を短縮させ、
　
ｅ．第２図には、
衣料６が回転ドラム３内に収容されている
　
《発明の認定》
　したがって、刊行物１には、
「ケーシング２の内部に収納されてモータにより回転駆動され衣料６を収容する回転ドラム３と、回転ドラム３の下部に臨んでいる洗濯槽１００と、コンプレッサ１９と凝縮器（コンデンサ）１８と膨張弁２０と蒸発器（エバポレータ）１５等が内蔵されているヒートポンプサイクルと、コンデンサ１８で加熱された循環エア９をダクト１０，１０’及び回転ドラム３の内部に循環するファン１７と、洗濯，すすぎ，脱水，乾燥の一連の工程を連続して実行する夜間プログラム及び昼間プログラムとを具備し、上記プログラムにより、脱水工程において回転ドラム３をプログラムされた回転数（夜間では１００〜２００ｒｐｍ　）で回転して脱水を行ない、乾燥工程においてコンプレッサ１９及びファン１７を運転し、回転ドラム３をプログラムされた回転数（夜間で２０〜３０ｒｐｍ）で回転して、蒸発器（エバポレータ）１５で除湿され凝縮器（コンデンサ）１８で加熱されて５０〜６０°Ｃの熱風となった循環エア９を回転ドラム３内に流入するようにした洗濯・乾燥機。」
という発明が記載されている。
　
　
　
（２）刊行物２に記載された発明
《記載事項》
　刊行物２には次のａ．〜ｂ．の記載がある。
ａ．「【０００１】
【発明の属する技術分野】本発明は、洗濯終了時の最終脱水時に、高速回転する回転槽に温風を送り込みながら脱水行程を行うプリヒート乾燥機能を備えた洗濯乾燥機に関する。
【０００２】
【従来の技術】図５は従来のドラム式洗濯乾燥機の縦断面図である。ドラム式洗濯乾燥機は、外箱１０１内にサスペンション１０３により支持された水槽１０５と、該水槽１０５の水平軸Ｘと同軸となるように
該水槽１０５内に回転自在に設けられた脱水槽（回転槽）１０７と
【０００３】また、
ドラム式洗濯乾燥機は、熱交換器１０９により除湿された風を温風にするためのヒータ１１１と、
【０００４】かかる構成のドラム式洗濯乾燥機で洗濯を行う場合には、ユーザは開閉扉１１５を開け、脱水槽１０７内に洗濯物（及び洗濯剤）を投入し、洗濯開始キー（図示せず）をオン操作する。洗濯開始キーがオン操作されると、
マイクロコンピュータ（マイコン）がこれを検出
駆動モータ１０４を回転制御する
【０００５】駆動モータ１０４が回転駆動されると、この回転力が回転ベルト１１０により各プーリ１０６，１０８を介して脱水槽１０７に伝達される。これにより、脱水槽１０７が駆動モータ１０４の回転に応じて回転駆動され、脱水槽１０７内の流水により洗濯物が洗濯される。
前記マイコンは、以後、排水（洗濯液の排水），給水，濯ぎ，排水，脱水・乾燥の各行程を順に行うように前記各部を制御する
　
ｂ．「【０００６】かかる構成の洗濯乾燥機の
脱水・乾燥行程は、プリヒート乾燥と通常乾燥とに分けられる
【０００７】先ず、プリヒート乾燥を説明する。
マイコンは前述の脱水・乾燥行程となると、ファン１０２，熱交換器１０９及びヒータ１１１をオン駆動する
【０００８】これによりファン１０２により風が形成され、この風は熱交換器１０９により除湿処理されると共に、ヒータ１１１により温風とされ、通風孔１１８を介して前述の高速回転される脱水槽１０７内に送り込まれる（矢印Ｗで示す）。脱水槽１０７内に送り込まれた温風は、回転駆動される脱水槽１０７の孔部１１６と温風取り出し孔１０５ａを介してファン１０２に帰還され、以後、前述のように除湿処理及び温風化処理が施され、再度、脱水槽１０７内に送り込まれるように当該ドラム式洗濯乾燥機内を循環する（循環空気と称する）。
【０００９】
このようにすることにより、衣類は脱水槽１０７の高速回転による脱水と、水槽１０５に吹き込まれるヒータ１１１およびファン１０２からの温風による蒸発により乾燥が進む。また、蒸発した水は熱交換器１０９にて除湿されて水に変換され外部へ排出される。以上の行程（プリヒート乾燥）を所定時間行った後
マイコンは脱水槽１０７を低速回転
による通常乾燥に切り替える
　
　
《発明の認定》
　したがって、刊行物２には、
「外箱１０１内にサスペンション１０３により支持された水槽１０５と、該水槽１０５内に回転自在に設けられた脱水槽（回転槽）１０７と、該脱水槽１０７内に送り込むための風を形成するファン１０２と、該ファン１０２により形成された風に対して除湿処理を施す水冷式の熱交換器（除湿器）１０９と、この除湿された風を温風にするためのヒータ１１１と、洗濯，濯ぎ，脱水・乾燥等の行程を順に行うように制御するマイクロコンピュータ（マイコン）とを具備し、該脱水・乾燥行程はプリヒート乾燥と通常乾燥とに分けられ、これらの乾燥を行う間、該マイコンはファン１０２，熱交換器（除湿器）１０９及びヒータ１１１をオン駆動するとともに、先ずプリヒート乾燥では脱水槽１０７を高速回転させ、衣類の脱水を進め、かつ、熱交換器（除湿器）１０９にて除湿されヒータ１１１にて加熱された温風を脱水槽１０７内に送り込むことにより、蒸発による衣類の乾燥を併せて進めて、該プリヒート乾燥を所定時間行った後、該マイコンは通常乾燥を実行するため脱水槽１０７を低速回転に切り替えるドラム式洗濯乾燥機。」　
という発明が記載されている。
　
　
　
　
５．対比・判断
（１）対比
イ．用語の対応
　本件発明と、刊行物１に記載された発明とを対比する。
　刊行物１に記載された発明における「ケーシング２」は、本件発明における「筐体」に相当し、以下同様に、
「衣料６」は「衣類」に、
「回転ドラム３」は「回転槽」に、
「コンプレッサ１９」は「圧縮機」に、
「凝縮器（コンデンサ）１８」は「放熱器」に、
「膨張弁２０」は「絞り手段」に、
「蒸発器（エバポレータ）１５」は「吸熱器」に、
「ヒートポンプサイクル」は「ヒートポンプ装置」に、
「ファン１７」は「送風手段」に、
「夜間プログラム及び昼間プログラム」は「制御手段」に、
「洗濯・乾燥機」は「洗濯乾燥機」に、
それぞれ相当する。
　刊行物１に記載された発明における「ヒートポンプサイクル」においても、管路内を冷媒が循環することによりサイクルが形成され、「コンプレッサ１９」で圧縮された冷媒の熱を「凝縮器（コンデンサ）１８」で放熱し、この高圧冷媒を「膨張弁２０」で減圧し、低圧となった冷媒が「蒸発器（エバポレータ）１５」において周囲から熱を奪うのは自明である。
　
ロ．一致点
　そこで、両発明は
「筐体内に回転可能に設けられ衣類を収容する回転槽と、圧縮機と圧縮された冷媒の熱を放熱する放熱器と高圧の冷媒の圧力を減圧するための絞り手段と減圧されて低圧となった冷媒が周囲から熱を奪う吸熱器とを冷媒が循環するように管路で連結したヒートポンプ装置と、前記放熱器で加熱した空気を前記回転槽内へ供給する送風手段と、洗浄、すすぎ、脱水、乾燥などの一連の工程を制御する制御手段とを具備する洗濯乾燥機。」
で一致する。
　
ハ．相違点
　そして、両発明は下記のＡ及びＢの２点で相違する。
　相違点Ａ：本件発明では、
筐体内に弾性支持された水槽と、前記水槽内に
　
　相違点Ｂ：本件発明では、
前記制御手段は、脱水工程において前記圧縮機のモータへの通電を開始するとともに、前記送風手段の運転を開始し、前記吸熱器で除湿され前記放熱器で加熱された乾いた温風を前記回転槽内へ供給するようにした
　
　
　
（２）判断
（２）ー１　相違点Ａについての検討
　刊行物１に記載された発明と刊行物２に記載された発明は共に、回転ドラム３（回転槽１０７）により衣料６（衣類）を洗濯，すすぎ，脱水，乾燥するドラム式の洗濯乾燥機の技術分野に属する。
　そして、刊行物２に記載された発明は「外箱１０１内にサスペンション１０３により支持された水槽１０５と、該水槽１０５内に回転自在に設けられた脱水槽（回転槽）１０７と、・・・を具備し、」ている。
　そこで上記のような技術分野の共通性があるので、刊行物１に記載された発明に刊行物２に記載された発明を組み合わせ、上記のような刊行物２に記載された発明における水槽１０５の構造に倣い、刊行物１に記載された発明のケーシング２内に、サスペンションにより支持された水槽を設け、この水槽内に回転ドラム３を回転自在に設けるようにし、もって、相違点Ａにおける本件発明の特定事項に到達することは当業者であれば容易である。
　
　
（２）ー２　相違点Ｂについての検討
イ．課題の共通性
　刊行物１に記載された発明の属する、回転ドラムにより衣料を洗濯，すすぎ，脱水，乾燥を行うドラム式の洗濯乾燥機の技術分野において、乾燥時間を短縮することは周知の課題である。
（もし、周知文献が必要であれば、
　　・実願昭６３−２１１８８号（実開平１−１２７５９５号）のマイ
　　　クロフィルム（明細書第１０頁３行〜第１１頁４行）
　　・特開２００２−３０６８９１号公報（段落【００１３】，
　　　【００１７】〜【００２０】）
 等を参照。）
　したがって、刊行物１に記載された発明が“乾燥時間の短縮”の課題を有しているのは自明である。
　また、刊行物２に記載された発明は、通常の乾燥（乾燥工程）に先立って、衣類の脱水と乾燥を同時に進めるプリヒート乾燥を行うものである。また、プリヒート乾燥が、乾燥工程に先立つ脱水工程において循環空気や洗濯物等を予めあたためておき、乾燥に要する時間を短縮するものであることは周知の技術である。
（もし、周知文献が必要であれば、
　　・特開２００３−１４４７９１号公報（段落【００７１】）
　　・特開平９−２５３３７７号公報（段落【０００７】〜【００１０】）
等を参照。）
　このように、刊行物１に記載された発明の自明な課題である“乾燥時間の短縮”を達成できる解決手段（プリヒート乾燥）が、刊行物２に記載された発明に示されている。
　
ロ．プリヒート乾燥の機能の付与
　上記のような課題の共通性があるので、乾燥時間を短縮するため、刊行物２に記載された発明のプリヒート乾燥の機能を刊行物１に記載された発明の洗濯・乾燥機に付与し、刊行物１に記載された発明の脱水工程において衣料６の乾燥を同時に進めるようにし、具体的には脱水工程において同発明のコンプレッサ１９及びファン１７を運転し、エバポレータ１５で除湿されコンデンサ１８で加熱されて５０〜６０°Ｃの熱風となった循環エア９を回転ドラム３内に流入させるようにし、もって、相違点Ｂにおける本件発明の構成に到達することは当業者であれば容易である。
　なお、乾燥時間の短縮は、本件明細書段落【００１２】に、「本発明は、上記従来の課題を解決するもので、ヒートポンプ装置の予熱運転を効率よく行い、消費エネルギーを節約しながら乾燥時間を短縮できる洗濯乾燥機を実現することを目的とする。」と記載されているように、本件発明の課題でもある。
　
　
（２）−３　本件発明の効果についての検討
　本件発明の効果は刊行物１，２に記載された発明及び周知の技術に基づいて、当業者が予測できたものである。
　
　
（３）まとめ
　このように、本件発明は、周知技術を参酌し、本願の出願前に国内において頒布された刊行物１，２に記載された発明に基づき、当業者が容易に発明をすることができたものであるから、特許法第２９条第２項の規定により、特許を受けることができない。
　
　
　
６．むすび
　以上のように、本件発明は、特許法第２９条第２項の規定により、特許を受けることができないものである。
　したがって、本件の請求項２に係る発明については検討するまでもなく、本件出願は拒絶すべきものである。
　よって、結論のとおり審決する。